(57)【要約】【課題】外気を室内に供給する際に除菌可能な換気装置を提供する。【解決手段】箱体部６の送風路９にフィルター１１を設け、側壁部６Ｓに通気開口部１３を形成し、この通気開口部１３の開口縁部に外部電極面４１を露出させてイオン発生ユニット４０を設けた。【選択図】  図１
2006132842.tif 000002
【特許請求の範囲】
【請求項１】
外気を通過させる箱体部の送風路に前記外気を濾過するフィルターを設け、該フィルターの下流側に、空気に含まれる浮遊細菌の不活化、有害物質の分解処理等により除菌する除菌装置を設けたことを特徴とする換気装置。
【請求項２】
請求項１の換気装置において、前記箱体部の通風路のフィルターの下流側に送風方向を変える整流部材を設け、前記箱体部と前記整流部材との間に導入した外気を吹き出す通気開口部を形成し、該通気開口部の縁部若しくは前記整流部材の送風路内壁面の何れかに、除菌装置を設けたことを特徴とする換気装置。
【請求項３】
屋外の空気を室内に給気する給気手段と、室内空気を屋外に排気する排気手段とを備え、前記給気手段から給気された空気を前記排気手段から排気して、建物内の空気の入れ換えを行う換気システムであって、前記給気手段と前記排気手段の少なくとも何れかが請求項１、２の何れかの換気装置であることを特徴とする換気システム。
【請求項４】
請求項１、２の何れか記載の換気装置又は請求項３記載の換気システムのいずれかを備えたことを特徴とする住宅構造。
【発明の詳細な説明】
【技術分野】
【０００１】
本発明は、換気装置及び換気システム並びに住宅構造に関する。
【背景技術】
【０００２】
従来の換気装置として、壁に設置する外気導入用ファンが知られている。この外気導入ファンは、外気を室内に給気するための空気導入用の筒状部と、外気を室内に給気するための箱体形状の箱体部とを有し、箱体部の背面部に形成した円形の開口部に筒状部を接続して、筒状部を後方に突出させた形状を有している。
【０００３】
この外気導入ファンの筒状部内部にはモーターが格納されており、モーターは筒状部内部の支持アームに固定されている。モーターの回転軸にはプロペラファンが固定されており、箱体部の前面に空気を通すスリット穴が多数形成されている。モーターを回転させると、プロペラファンが回転して、筒状部内部に建物外部の空気が導入され、箱体部の前面部のスリット穴から室内に外気が吹き出すようになっている。
【０００４】
しかし、このような外気導入ファンでは、箱体部前面から直角方向の前方に向かって外気が吹き出されるために、冬季などに冷たい外気が直に居住者に当たって寒さを感じさせるという問題がある。
【０００５】
そこで、箱体部の前面部に水平方向に延びる第１スリット穴を形成し、箱体部の前面部に化粧板を上下動可能に設置し、当該化粧板に第１スリット穴と同形同大の第２スリット穴を形成し、化粧板の上下移動により、第１スリット穴と第２スリット穴とを連通させて風圧を弱めて室内に送風したり、封鎖したりして外気の導入時以外の時に、気圧や風圧によって外気が室内に入り込まないようにしたものもある。
【特許文献１】特開平８−３３８６５０号公報
【発明の開示】
【発明が解決しようとする課題】
【０００６】
しかし、箱体部の前面部に設けた化粧板の上下移動により、第１スリット穴と第２スリット穴とを連通させたり、封鎖したりして、外気を取り入れたり、遮断する換気装置であっても、外気の中に含まれるカビやウィルスなどの浮遊細菌を除菌することは困難であった。
【０００７】
本発明は、このような問題に着目してなされたものであり、室内に取り入れる外気や室内空気に含まれる浮遊細菌の除菌が可能な換気装置及び換気システム及び建物構造を提供することを目的とする。
【課題を解決するための手段】
【０００８】
上記課題を解決するために、本願の第１の換気装置は、外気を通過させる箱体部の送風路に前記外気を濾過するフィルターを設け、該フィルターの下流側に、空気に含まれる浮遊細菌の不活化、有害物質の分解処理等により除菌する除菌装置を設けたことを特徴とする。
【０００９】
本願の請求項２の換気装置は、請求項１の換気装置において、前記箱体部の通風路のフィルターの下流側に送風方向を変える整流部材を設け、前記箱体部と前記整流部材との間に導入した外気を吹き出す通気開口部を形成し、該通気開口部の縁部若しくは前記整流部材の送風路内壁面の何れかに、除菌装置を設けたことを特徴とする。
【００１０】
本願の請求項３の換気システムは、屋外の空気を室内に給気する給気手段と、室内空気を屋外に排気する排気手段とを備え、前記給気手段から給気された空気を前記排気手段から排気して、建物内の空気の入れ換えを行う換気システムであって、前記給気手段と前記排気手段の少なくとも何れかが請求項１、２の何れかの換気装置であることを特徴とする。
【００１１】
本願の請求項４の住宅構造は、請求項１、２の何れか記載の換気装置又は請求項３記載の換気システムの何れかを備えたことを特徴とする。
【発明の効果】
【００１２】
本発明に係る第１の換気装置によれば、箱体部の送風路のフィルターの下流側に除菌装置を設け、フィルターで濾過した後の外気を除菌するので、室内に清浄な外気を送風することが出来ると共に、除菌装置から放出された空気により、室内空気も除菌することができる。
【００１３】
本願の第２の換気装置によれば、通気開口部の縁部若しくは整流部材の送風路内壁面の何れかに除菌装置を設けることにより、整流部材で送風方向が変わった空気が除菌装置を払拭するように接触するので、除菌効果が高まる。
【００１４】
本願の換気システムによれば、第１、第２の換気装置の何れかのみで、外気を取り入れる給気を行っても良く、また、複数の換気装置を建物に設置して、建物の戸口のアンダーカット等を通して空気の流路を形成してもよい。
【００１５】
本願の建物の住宅構造によれば、換気システムと同様に、建物の戸口のアンダーカット等を通して空気の流路を形成する換気構造を構成でき、室内に給気する外気を除菌して清浄化できる。また、複数の換気装置の一方を給気装置とし、他方を排気装置として、建物の戸口のアンダーカット等を通して空気の流路を構成しても良い。
【発明を実施するための最良の形態】
【００１６】
以下、本発明の最良の形態に係る換気装置及び換気システム等について図面に基づいて説明する。この換気装置及び換気システム等は、外気の室内への給気に適用されるものであるが、この実施の形態の換気装置及び換気システムは外気を給気する給気ファン装置１に適用されている。給気ファン装置１は、直に外気が居住者に当たらないようにする一方、風路抵抗を極力少なくして送風圧損を少なくするのが望ましい。
【００１７】
図１（ａ）はこの実施の形態にかかる給気ファン装置１を示す。この給気ファン装置１は、建物の壁面２に形成された開口部３に設置されるものであり、開口部３に装着されるスリーブ４と、スリーブ４に装着される筒状部５と、箱体部６とを有している。
【００１８】
筒状部５と箱体部６は通じており、筒状部５と箱体部６を介して建物外部と建物内部が通じている。筒状部５内部には、ファン８を回転駆動するファンモーター７を保持する半円形状の支持枠部７Ｓが一対設けられており、一対の支持枠部７Ｓを組み合わせて円形とした保持空間部にファンモーター７が保持されている。ファンモーター７の回転軸にはファン８が取り付けられている。図示しない電源スイッチのオンによりファンモーター７が回転して、ファン８が回転することによって建物の外部から筒状部５の内部に外気が取り入れられ、箱体部６の内部に送り込まれる。筒状部５の前側部分はフランジ５Ｆとされており、フランジ５Ｆの外周部にリブ５Ｒが形成されている。
【００１９】
正面から見て矩形の枠体形状に形成された箱体部６の背面部は、筒状部５のフランジ５Ｆで塞がれており、筒状部５のリブ５Ｒは箱体部６の背面部に嵌合されている。箱体部６はリブ５Ｒによって壁面２に沿って設置されている。筒状部５から箱体部６に通じる内部空間は外気を導入するための送風路９とされている。箱体部６の送風路９にはフィルター１１が設けられ、側壁部６Ｓの通気開口部１３の開口縁部に外部電極面４１を露出させてイオン発生ユニット４０が設けられている。
【００２０】
箱体部６の両側部の正面側には上下方向に延びる柱状部１０が形成されており、左右の柱状部１０の間にフィルター１１が取り付けられる。左右の柱状部１０の水平断面は略「Ｌ」字形状とされており、「Ｌ」の角部分が箱体部６の中央部側に位置するように形成されている。箱体部６の上板部６Ｕ（図２参照）と下板部６Ｌ（図２参照）と左右の側壁部６Ｓで形成される枠状の送風路９は筒状部５に通じている。箱体部６の上板部６Ｕと下板部６Ｌの前縁部には整流板１２を取り付ける円筒状の突起部１２Ａ（図１（ａ）参照）が突設されている。整流板１２は請求項２における整流部材である。
【００２１】
フィルター１１は上板部６Ｕと下板部６Ｌ及び左右の柱状部１０の間の空間部に嵌め込まれて取り付けられる。フィルター１１はファン８によって室内に給気される空気を濾過して、空気中に含まれる塵埃や虫等を除去するように、ネット或いはメッシュで形成されている。フィルター１１全体は円弧形状に湾曲して形成されている。
【００２２】
フィルター１１の前方には通気開口部１３に通じる隙間を介して整流板１２が取り付けられる。図５、図６に示すように、整流板１２には図示しないピンが形成されており、そのピンを突起部１２Ａの穴に挿入し、整流板１２を固定する。また、整流板１２には図示しないネジ穴を設け、このネジ穴にネジを挿入し、ネジの先端部を突起部１２Ａの穴にねじ込んで整流板１２を固定しても良い。整流板１２はフィルター１１の形状に合わせた円弧断面を有しており、整流板１２と柱状部１０との間に通気開口部１３に連なる隙間が形成される。
【００２３】
通気開口部１３は箱体部６の両側部に形成される。通気開口部１３は、箱体部６の側壁部の高さの全体に及ぶ細長い形状を有している。整流板１２の曲率半径はフィルター１１の曲率半径より大きく設定され、整流板１２の中央部とフィルター１１の中央部の距離は、整流板１２の両側部とフィルター１１の両側部の距離より大きくなるように形成されている。このため、フィルター１１を通り抜けた空気は、整流板１２の裏面に当たって左右の通気開口部１３にガイドされる。整流板１２の中央部は両側より幅が狭くなっているので、空気の流速が速くなっており、通気開口部１３から室内に放出されるときに、空気の流れる流速が減速される。
【００２４】
通気開口部１３には、除菌装置としてのイオン発生ユニット４０が取り付けられている。箱体部６の側壁部６Ｓにはイオン発生ユニット４０を取り付けるための矩形枠部４２が形成されており、この矩形枠部４２の内部にイオン発生ユニット４０が装着されている。イオン発生ユニット４０の放電面である外部電極面４１は通気開口部１３側に露出している。
【００２５】
尚、除菌装置は、細菌の殺菌、滅菌、除菌やウィルスの分解、除去作用等の少なくとも何れかを行うものである。ここでは、イオン発生ユニット４０で構成される除菌装置が、空気の流路においてフィルター１１の下流側に設けられているので、発生したイオンが、フィルター１１に接触して中和されてしまうという現象が起こることなく室内に放出されることとなる。このため、フィルター１１のみを設ける場合に比べてより多くのイオンが室内に放出され、室内空気の浮遊細菌の不活化により、除菌が行える。
【００２６】
イオン発生ユニット４０は商用電源と接続される図示しない高圧パルス発生回路とイオン発生素子を備えている。イオン発生素子は、誘電体を正極・負極電極間に挟み、誘電体の正極・負極の電極に高電圧パルス発生回路を接続したもので、高電圧パルス発生回路から正極・負極間に所定の高電圧パルスを印加して、内部電極と外部電極の間にプラズマ放電を発生させるものである。
【００２７】
プラズマ放電が起こると、外部電極面４１が送風路に露出しているので、外部電極面４１の水蒸気がイオン化され、正イオンと負イオンがほぼ同量発生する。正イオンは、水素イオン（Ｈ+）の周囲に複数の水分子が付着したクラスターイオンであり、Ｈ+（Ｈ2Ｏ）ｍ（ｍは自然数）として表される。負イオンは、酸素イオン（Ｏ2-）の周囲に複数の水分子が付着したクラスターイオンであり、Ｏ2-（Ｈ2Ｏ）ｎ（ｎは自然数）として表される。ファン８の回転により正イオン及び負イオンが室内の空気中に放出されると、過酸化水素Ｈ2Ｏ2又は水酸基ラジカル・ＯＨとなり、室内浮遊物（ウィルス、細菌）に凝集して不活化して浮遊細菌を除菌するので室内の空気が清浄化される。
【００２８】
イオン発生ユニット４０はここでは、通気開口部１３の水平方向の両側縁部にそれぞれ設けられているが、整流板１２のフィルター１１に対向する内壁面１２Ｒに設置しても良い。整流板１２の内壁面１２Ｒに設置する配置構成としては、内壁面１２Ｒの中央部に一つ設置する配置構成（Ａ）、内壁面１２Ｒの両側部にそれぞれ設置する配置構成（Ｂ）、内壁面１２Ｒの両側部と中央部にそれぞれ設置する配置構成等が考えられる。
【００２９】
また、イオン発生ユニット４０を左右の通気開口部１３にそれぞれ設けているが、一方の通気開口部のイオン発生ユニット４０から正イオンを発生し、他方の通気開口部のイオン発生ユニット４０から負イオンを発生しても良いし、左右の通気開口部１３から負イオンだけ発生させても良い。また、イオン発生ユニット４０を通気開口部１３にそれぞれ設けているが、一方のみでも良く、更に、一方のイオン発生ユニット４０から正イオンを発生し、他方の通気開口部のイオン発生ユニット４０から負イオンを発生させても良い。
【００３０】
更に、イオン発生ユニット４０のプラズマ放電する外部電極面４１は、通気開口部１３の長手方向に沿う細長い矩形の平面形状を有しているので、正イオン・負イオンの発生量を大きくするために、内壁面１２Ｒに設置するときに外部電極面４１の長手方向を水平方向に向けて設置する設置構成と、外部電極面４１の長手方向を鉛直方向に向けて設置する設置構成が考えられる。
【００３１】
尚、除菌装置としては光触媒方式のものであっても良い。光触媒方式の場合、整流板１２に酸化チタン（ＴｉＯ2)を練り込んだプラスチック素材を用いたり、整流板１２の内壁面に酸化チタンの薄膜層を形成したり、金属箔或いは金属板を設置する構成とする。箱体部６内部には紫外線を照射するＵＶランプを設置する。ＵＶランプは４００ｍｍ以下の波長の紫外線を照射する。ＵＶランプにより酸化チタンに紫外線を照射すると、酸化チタンが励起されて電子と正孔を発生する。正孔の酸化力は強いので、有機化合物や窒素酸化物等を酸化分解し、アンモニアやホルムアルデヒド或いは浮遊細菌等を分解する。この反応において酸化チタン自身は触媒として働くので長期間効果が持続される。
【００３２】
更に、上記の除菌装置はセンサによって自動制御する構成も考えられる。センサによって自動制御する場合、給気ファン装置１の室内側の表面或いは部屋のいずれかの場所に、焦電センサ等の人体検知センサや臭いセンサ等を設け、箱体部６にこれらのセンサに接続されるマイコンを設け、人が部屋に入ったり、アンモニアやホルムアルデヒド等を感知したときに、イオン発生ユニット４０や光触媒方式の除菌装置が動作するようにプログラムを構成してマイコンに組み込む。マイコンはリレーを介してイオン発生ユニット４０や光触媒方式の除菌装置に商用電力を供給する。
【００３３】
また、イオン発生ユニット４０は、人体検知センサにより人体を検知して負イオンのみ、又は、負イオンをより多く増量して発生させる負イオンモードを設けて切換運転しても良い。
【００３４】
左右の柱状部１０の内側には回動型のシャッター１４がそれぞれ設置されている。シャッター１４は本発明の回動部材である。シャッター１４は、箱体部６の左右に形成された通気開口部１３を開閉するものであり、外気を室内に供給しないときには、閉めて空気を遮断出来るようになっている。図３（ａ）（ｂ）に示すように、通気開口部１３を閉鎖しているときに、シャッター１４は箱体部６の側壁部６Ｓと同じ高さで連なる面を形成できるように平らに形成されている。
【００３５】
図２に示すように、シャッター１４の上下の端部には回動操作するために軸受板１４Ａ、１４Ｂが形成されており、上の軸受板１４Ａに軸１５が突設されている。この軸１５は箱体部６の上板部６Ｕの穴１５Ａに回動自在に保持されている。下の軸受板１４Ｂには円形の取付穴１６が形成されており、この取付穴１６にダイアル１７の割爪部１８が圧入されている。割爪部１８は箱体部６の下板部６Ｌの取付穴１９を貫通しており、取付穴１９、１６を通過するために溝の内側に撓んだ後復帰して脱落不能に取り付けられる。
【００３６】
図４（ａ）（ｂ）（ｃ）はダイアル１７及びダイアル１７を取り付ける凹部２２の形状を示す。ダイアル１７の下板部６Ｌに臨む面には、円弧状のガイド溝２０が形成されており、ガイド溝２０の両端部にシャッター１４の開き角度を固定するクリック穴２１が形成されている。箱体部６の下板部６Ｌの下面角部にはダイアル１７の肉厚相当の凹み２２が形成され、凹み２２の表面にはガイド溝２０に嵌め込まれる突起２３が形成されている。ダイアル１７を回転させると、シャッター１４が回動して、通気開口部１３を開閉するが、突起２３がクリック穴２１に入り込むと、シャッター１４が通気開口部１３を閉じたり、若しくは、開いたりする姿勢を保持する。ダイアル１７の外周部にはシャッター１４を開閉するための肉厚方向に延びる溝が形成されている。
【００３７】
図３（ａ）（ｂ）はシャッター１４の回動状態を示す。図３（ａ）（ｂ）に示すように、シャッター１４の回転半径方向の長さは、通気開口部１３の幅とほぼ同じ長さとされており、シャッター１４を箱体部６の側壁部６Ｓと同じ高さになるように回動させたときに、通気開口部１３が完全に塞がれるようになっている。また、整流板１２側には、通気開口部１３を塞いだシャッター１４が通気開口部１３から外側に飛び出さないように支持するストッパー部１２Ｓが突設されている。このストッパー部１２Ｓは、箱体部６の正面中央部から４５°離れた位置からシャッター１４が見えないように、側方に突出しているものであっても良い。
【００３８】
以上説明したように、この給気ファン装置１によれば、箱体部６の送風路９にフィルター１１を設置し、送風路９に送風方向を変える整流板１２を設置し、箱体部６の両側の側壁部６Ｓに通気開口部１３をそれぞれ形成し、左右両側の通気開口部１３の縁部に除菌装置としてのイオン発生ユニット４０を設置し、このイオン発生ユニット４０の外部電極面４１を空気の流路に臨ませて露出させて設置したので、センサ或いは図示しない操作スイッチでファンモーター７を回すと共に、イオン発生ユニット４０でプラズマ放電させると、外気を室内に給気するとき、フィルター１１で空気中の塵埃を除去でき、イオン発生ユニット４０で濾過した空気に含まれる浮遊細菌を除菌したり、アンモニアやホルムアルデヒド等類を分解できる。
【００３９】
また、通気開口部１３にシャッター１４を設けたので、外気を室内に給気する場合、外気を直に居住者に当てたり、送風機の停止中に建物の外側の空気が直接室内に入り込んで居住者に当たることを防止できる。また、シャッター１４によって通気開口部１３の開閉調節を行うことができる。さらに、突起２３が嵌め込まれるクリック穴２１をガイド溝２０の中間位置に設けて、ダイアル１７の回動により、中間位置でシャッター１４が固定されるようにして、シャッター１４の開き角度（開度）を調節することにより、風量調節を行えるようにしても良い。
【００４０】
更に、図１（ｂ）のように、整流板１２の端部１２Ｔを除菌装置であるイオン発生ユニット４０が隠れるように延長させて、室内前面からイオン発生ユニット４０を見えなくして、意匠上の美感を向上させるようにしても良い。整流板１２の端部１２Ｔは図１（ａ）の実線部に示す長さでも良く、図１（ａ）の一点鎖線に示すように、イオン発生ユニット４０の中間部まで延びて正面側からシャッター１４が見え難くなるようにしても良い。また、図１（ａ）（ｂ）に示すように、整流板１２の端部１２Ｔを伸ばした場合に、符号（Ｃ）に示すように、整流板１２の端部１２Ｔの整流板裏面側にイオン発生ユニット４０を設けても良い。尚、図１（ａ）（ｂ）の符号（Ａ）（Ｂ）（Ｃ）の位置にイオン発生ユニット４０を設ける場合、イオン発生面を整流板１２の内壁面に沿ってフラットに形成して空気抵抗を少なくしたり、イオン発生ユニット４０の整流板１２の外側に位置する部位を整流板１２の外表面と等しい高さにして外観品質を高めるようにしても良い。
【００４１】
このように、イオン発生ユニット４０をフィルター１１の空気の流路の下流側に設けることによって、除菌装置であるイオン発生ユニット４０によって放出された空気により、室内の空気も除菌することができることとなる。
【００４２】
次に、この給気ファン装置１を用いた換気システムを説明する。図７は、上述の給気ファン装置１を建物（住宅構造）に取り付けて２４時間換気を実施可能にした換気システムを示す。図７の換気システムでは、一階の居間Ｒ１の壁上部に給気ファン装置１が取り付けられており、一階のトイレＲ２、洗面所Ｒ３、浴室Ｒ４等の壁上部に排気ファン装置３０が取り付けられている。また、二階の居室Ｒ５、Ｒ６の壁上部に給気ファン装置１が取り付けられており、二階の廊下Ｒ７やトイレＲ８の壁上部に排気ファン装置３０が取り付けられている。
【００４３】
一階では給気ファン装置１から居間Ｒ１に給気した空気は、ドア下部に設けられたアンダーカット部Ｕやガラリ部Ｄを通して、トイレＲ２、洗面所Ｒ３、浴室Ｒ４に導かれ、排気ファン装置３０によって屋外に排気される。また、二階では給気ファン装置１から居室Ｒ５、Ｒ６に導入された空気は、居室Ｒ５のドア下部に設けられたアンダーカット部Ｕを通して、廊下Ｒ７の排気ファン装置３０によって屋外に排気される。また、居室Ｒ６の給気ファン装置１から導入された空気はアンダーカットＵを通して、廊下Ｒ７の排気ファン装置３０によって、屋外に排気されると共に、アンダーカットＵを通して、トイレＲ８に導かれ、排気ファン装置３０によって屋外に排気される。
【００４４】
この建物では、この給気ファン装置１と排気ファン装置３０により、一階と二階の換気システム３１がそれぞれ独立して構成されており、一階と二階の換気システム３１により住宅全体の換気対象部分の容積の所定換気回数（例えば０．５回／時間）を満たすように、連続的又は断続的に常時換気を行っている。この換気システムは、戸建て住宅だけでなく、マンションのような集合住宅に設置しても良い。
【００４５】
この換気システム３１は、給気ファン装置１のみで外気を取り入れる給気を行って、自然に排気を行っても良く、また、複数の給気ファン装置１を建物に設置して、建物の戸口のアンダーカット等を通して空気の流路を形成してもよい。また、複数の換気装置の一方を給気ファン装置１とし、他方を排気ファン装置３０とすると、建物の戸口のアンダーカット等を通して空気の流路を形成することができ、第１種換気システムを構成することでき、建物の一階と二階のの室内全体の空気について、粉塵等の除去のみならず、浮遊細菌の除菌やアンモニアやホルムアルデヒド等の分解などを行って建物内の空気全体の清浄化を行うことができる。
【００４６】
この建物の換気構造によれば、換気システムと同様に、建物の戸口のアンダーカットＵ等を通して空気の流路を形成する換気構造を構成でき、室内の美観に違和感を与えない。また、複数の換気装置の一方を給気装置とし、他方を排気装置として、建物の戸口のアンダーカットＵ等を通して空気の流路を構成しても良い。
【図面の簡単な説明】
【００４７】
【図１】（ａ）本発明の実施の形態にかかる換気装置としての給気ファンの断面図、（ｂ）イオン発生ユニットが隠れるように整流板を延長させた部分図。
【図２】図１の給気ファンのシャッター近傍の縦断面図。
【図３】（ａ）（ｂ）は図１のシャッター近傍の水平方向の断面図であり、（ａ）はシャッターで通気開口部を閉じた状態の断面図、（ｂ）はシャッターで通気開口部を閉じた状態の断面図。
【図４】（ａ）（ｂ）（ｃ）はダイアル近傍の構成を示す図であり、（ａ）はダイアル設置部分の角部の形状を示す図。（ｂ）はダイアルの表面形状を示す図、（ｃ）はダイアルを設置する箱体部底部の形状を示す図。
【図５】図１の給気ファンの斜視図であり、シャッターで通気開口部を閉じた状態の斜視図。
【図６】図１の給気ファンの斜視図であり、シャッターで通気開口部を開いた状態の分解斜視図。
【図７】図１の給気ファンを用いた換気システムを備えた建物の説明図。
【符号の説明】
【００４８】
１  給気ファン装置
５  筒状部
６  箱体部
８  ファン
１１  フィルター
１２  整流板（整流部材）
１３  通気開口部
１４  シャッター（回動部材）
１７  ダイアル
【図１】
2006132842.tif 000003
【図２】
2006132842.tif 000004
【図３】
2006132842.tif 000005
【図４】
2006132842.tif 000006
【図５】
2006132842.tif 000007
【図６】
2006132842.tif 000008
【図７】
2006132842.tif 000009